(57)【要約】【課題】前面枠が異常な姿勢のまま遊技が実行される不都合を阻止することができる遊技機を提供する。【解決手段】前面開閉スイッチユニット５３と前面押圧操作ユニット５４とが予め設定された適正対向位置に位置した状態で前面枠３を閉成すると、検出押圧部７６が前面開閉検出片６８ａを押圧操作するとともに、閉成係合部７１と閉成係合受部９０との係合が回避され、前面開閉スイッチユニット５３と前面押圧操作ユニット５４とが適正対向位置とは異なる不適正対向位置に位置した状態で前面枠３を閉成すると、検出押圧部７６と前面開閉検出片６８ａとが離間した状態で閉成係合部７１と閉成係合受部９０とが係合して、検出押圧部７６が閉成係合受部９０および閉成係合部７１とともに移動して前面開閉検出片６８ａとの離間状態を維持する。【選択図】図１２
2012143420.tif 000002
【特許請求の範囲】
【請求項１】
遊技島に固定される機枠と、該機枠に対して開閉可能な前面枠と、該前面枠の開閉を検出可能な前面開閉検出機構とを備えた遊技機において、
前記前面開閉検出機構は、前面開閉検出片が押圧操作されて前記前面枠の閉成を検出する前面開閉スイッチユニットと、前記前面開閉検出片を押圧操作可能な前面押圧操作ユニットと、を備え、
前記機枠または前記前面枠のいずれか一方には前記前面開閉スイッチユニットを装着するとともに、他方には前記前面押圧操作ユニットを装着し、
前記前面開閉スイッチユニットは、前記前面枠が閉成すると前記前面押圧操作ユニットに係合可能な閉成係合部を備え、
前記前面押圧操作ユニットは、
当該前面押圧操作ユニットに前記前面枠の開閉方向に沿って移動可能な状態で装着され、前記閉成係合部を係合可能な閉成係合受部と、
該閉成係合受部とともに移動可能な状態で装着され、前記前面開閉検出片を押圧可能な検出押圧部と、
を備え、
前記検出押圧部が前記前面開閉検出片を押圧した状態では前記閉成係合部が前記閉成係合受部から外れて位置し、
前記前面枠を開放して前記前面開閉スイッチユニットと前記前面押圧操作ユニットとを前記前面枠の開閉方向に離間させた状態では、前記閉成係合部と前記閉成係合受部との離間距離を、前記前面開閉検出片と前記検出押圧部との離間距離よりも狭く設定し、
前記前面開閉スイッチユニットと前記前面押圧操作ユニットとが予め設定された適正対向位置に位置した状態で前記前面枠を閉成すると、前記検出押圧部が前記前面開閉検出片を押圧操作するとともに、前記閉成係合部と前記閉成係合受部との係合が回避され、
前記前面開閉スイッチユニットと前記前面押圧操作ユニットとが前記適正対向位置とは異なる不適正対向位置に位置した状態で前記前面枠を閉成すると、前記検出押圧部と前記前面開閉検出片とが離間した状態で前記閉成係合部と前記閉成係合受部とが係合して、前記検出押圧部が前記閉成係合受部および前記閉成係合部とともに移動して前記前面開閉検出片との離間状態を維持するように構成されたことを特徴とする遊技機。
【請求項２】
前記検出押圧部は、前記閉成係合受部に対して前記前面枠の開閉方向に沿って移動可能であり、
前記前面開閉スイッチユニットと前記前面押圧操作ユニットとが前記適正対向位置に位置した状態で前記前面枠を閉成すると、前記前面開閉検出片が押圧操作された状態の前記前面開閉スイッチユニットにより前記検出押圧部を押圧して移動するように構成されたことを特徴とする請求項１に記載の遊技機。
【請求項３】
前記前面押圧操作ユニットは、
前記機枠または前記前面枠のうち当該前面押圧操作ユニットを装着する箇所に止着される操作ユニットベースと、
該操作ユニットベースと前記検出押圧部との間に位置し、前記前面開閉スイッチユニットに対向し得る箇所に前記閉成係合受部が設けられた係合受部ベースと、
前記閉成係合受部および前記係合受部ベースを、前記操作ユニットベースに対して前記前面枠の開閉方向に沿って移動可能とする係合受部移動機構と、
前記検出押圧部を、前記閉成係合受部および前記係合受部ベースに対して前記前面枠の開閉方向に沿って移動可能とする押圧部移動機構と、を備え、
前記係合受部移動機構は、
前記操作ユニットベースに設けられ、前記前面枠の開閉方向に沿って延在する係合ガイド溝と、
前記係合受部ベースに設けられ、前記係合ガイド溝に沿って摺動可能な係合ガイドアームと、を備えて構成され、
前記押圧部移動機構は、
前記係合受部ベースに設けられ、前記前面枠の開閉方向に沿って延在する押圧ガイド部と、
前記検出押圧部に設けられ、前記押圧ガイド部上を摺動可能な押圧摺動部と、を備えて構成されたことを特徴とする請求項２に記載の遊技機。
【請求項４】
前記操作ユニットベースと前記係合受部ベースとの間には、前記閉成係合受部を前記閉成係合部から受ける押圧力に抗して付勢する係合付勢部材を備え、
前記係合受部ベースと前記検出押圧部との間には、前記検出押圧部を前記前面開閉スイッチユニットから受ける押圧力に抗して付勢する押圧付勢部材を備えたことを特徴とする請求項３に記載の遊技機。
【請求項５】
前記前面押圧操作ユニットのうち、前記閉成係合受部よりも前記前面枠の開閉方向に沿って前記前面開閉スイッチユニットから離れた位置には、前記検出押圧部が前記前面開閉検出片を押圧した状態で前記閉成係合部が当接可能な閉成当接受部を備えたことを特徴とする請求項１から請求項４のいずれかに記載の遊技機。
【発明の詳細な説明】
【技術分野】
【０００１】
本発明は、機枠と、該機枠に対して開閉可能な前面枠と、該前面枠の開閉を検出可能な前面開閉検出機構とを備えたパチンコ遊技機等の遊技機に関する。
【背景技術】
【０００２】
従来の遊技機、例えば、パチンコ遊技機においては、遊技店内に設置された遊技島に固定するための機枠（外枠）を有し、この機枠には前面枠を開閉可能に取り付け、該前面枠には遊技領域が区画形成された遊技盤を装着している。また、前面枠の開閉を検出可能な前面開閉検出機構を備え、前面枠が開放状態であるか否かを前面開閉検出機構により検出し、この検出信号に基づく報知動作を行って前面枠の閉じ忘れや施錠し忘れを抑制できるように構成されている。さらに、前面開閉検出機構が前面枠の開放状態を検出している限り、遊技実行の処理を進行させないように制御される。
【０００３】
そして、前面開閉検出機構においては、前面枠に設けられた検出スイッチと、機枠に設けられた平板とで構成し、機枠が歪んで平板の位置や検出スイッチの位置がずれたとしても、平板が検出スイッチを押圧操作して前面枠が閉成状態であること（言い換えると開放状態ではないこと）を検出できるように構成する旨が提案されている（例えば、特許文献１参照。）。
【先行技術文献】
【特許文献】
【０００４】
【特許文献１】特開２０００−１２６４２３号公報
【発明の概要】
【発明が解決しようとする課題】
【０００５】
ところで、上記特許文献に記載のパチンコ遊技機では、機枠が歪んでいた場合であったとしても前面枠が閉成状態であることを検出してしまうため、前面枠の姿勢、詳しくは、前面枠に設けられた遊技盤の姿勢が予め設定された正常姿勢とは異なる姿勢で遊技が実行可能となる虞がある。具体的には、遊技盤の上端が下端よりも後方に位置する度合い（所謂寝かせ角度）が正常設定とは異なる異常設定になってしまう虞がある。この異常設定で遊技が実行された場合、遊技盤に植設される釘と遊技球との衝接具合が設計当初とは異なり、入賞口等の入賞装置への遊技球の入賞率が設計どおりにならない不都合が生じてしまう。
【０００６】
本発明は、上記の事情に鑑みてなされたものであり、その目的は、前面枠が異常な姿勢のまま遊技が実行される不都合を阻止することができる遊技機を提供しようとするものである。
【課題を解決するための手段】
【０００７】
本発明は、上記目的を達成するために提案されたものであり、請求項１に記載のものは、遊技島に固定される機枠と、該機枠に対して開閉可能な前面枠と、該前面枠の開閉を検出可能な前面開閉検出機構とを備えた遊技機において、
前記前面開閉検出機構は、前面開閉検出片が押圧操作されて前記前面枠の閉成を検出する前面開閉スイッチユニットと、前記前面開閉検出片を押圧操作可能な前面押圧操作ユニットと、を備え、
前記機枠または前記前面枠のいずれか一方には前記前面開閉スイッチユニットを装着するとともに、他方には前記前面押圧操作ユニットを装着し、
前記前面開閉スイッチユニットは、前記前面枠が閉成すると前記前面押圧操作ユニットに係合可能な閉成係合部を備え、
前記前面押圧操作ユニットは、
当該前面押圧操作ユニットに前記前面枠の開閉方向に沿って移動可能な状態で装着され、前記閉成係合部を係合可能な閉成係合受部と、
該閉成係合受部とともに移動可能な状態で装着され、前記前面開閉検出片を押圧可能な検出押圧部と、
を備え、
前記検出押圧部が前記前面開閉検出片を押圧した状態では前記閉成係合部が前記閉成係合受部から外れて位置し、
前記前面枠を開放して前記前面開閉スイッチユニットと前記前面押圧操作ユニットとを前記前面枠の開閉方向に離間させた状態では、前記閉成係合部と前記閉成係合受部との離間距離を、前記前面開閉検出片と前記検出押圧部との離間距離よりも狭く設定し、
前記前面開閉スイッチユニットと前記前面押圧操作ユニットとが予め設定された適正対向位置に位置した状態で前記前面枠を閉成すると、前記検出押圧部が前記前面開閉検出片を押圧操作するとともに、前記閉成係合部と前記閉成係合受部との係合が回避され、
前記前面開閉スイッチユニットと前記前面押圧操作ユニットとが前記適正対向位置とは異なる不適正対向位置に位置した状態で前記前面枠を閉成すると、前記検出押圧部と前記前面開閉検出片とが離間した状態で前記閉成係合部と前記閉成係合受部とが係合して、前記検出押圧部が前記閉成係合受部および前記閉成係合部とともに移動して前記前面開閉検出片との離間状態を維持するように構成されたことを特徴とする遊技機である。
【０００８】
請求項２に記載のものは、前記検出押圧部は、前記閉成係合受部に対して前記前面枠の開閉方向に沿って移動可能であり、
前記前面開閉スイッチユニットと前記前面押圧操作ユニットとが前記適正対向位置に位置した状態で前記前面枠を閉成すると、前記前面開閉検出片が押圧操作された状態の前記前面開閉スイッチユニットにより前記検出押圧部を押圧して移動するように構成されたことを特徴とする請求項１に記載の遊技機である。
【０００９】
請求項３に記載のものは、前記前面押圧操作ユニットは、
前記機枠または前記前面枠のうち当該前面押圧操作ユニットを装着する箇所に止着される操作ユニットベースと、
該操作ユニットベースと前記検出押圧部との間に位置し、前記前面開閉スイッチユニットに対向し得る箇所に前記閉成係合受部が設けられた係合受部ベースと、
前記閉成係合受部および前記係合受部ベースを、前記操作ユニットベースに対して前記前面枠の開閉方向に沿って移動可能とする係合受部移動機構と、
前記検出押圧部を、前記閉成係合受部および前記係合受部ベースに対して前記前面枠の開閉方向に沿って移動可能とする押圧部移動機構と、を備え、
前記係合受部移動機構は、
前記操作ユニットベースに設けられ、前記前面枠の開閉方向に沿って延在する係合ガイド溝と、
前記係合受部ベースに設けられ、前記係合ガイド溝に沿って摺動可能な係合ガイドアームと、を備えて構成され、
前記押圧部移動機構は、
前記係合受部ベースに設けられ、前記前面枠の開閉方向に沿って延在する押圧ガイド部と、
前記検出押圧部に設けられ、前記押圧ガイド部上を摺動可能な押圧摺動部と、を備えて構成されたことを特徴とする請求項２に記載の遊技機である。
【００１０】
請求項４に記載のものは、前記操作ユニットベースと前記係合受部ベースとの間には、前記閉成係合受部を前記閉成係合部から受ける押圧力に抗して付勢する係合付勢部材を備え、
前記係合受部ベースと前記検出押圧部との間には、前記検出押圧部を前記前面開閉スイッチユニットから受ける押圧力に抗して付勢する押圧付勢部材を備えたことを特徴とする請求項３に記載の遊技機である。
【００１１】
請求項５に記載のものは、前記前面押圧操作ユニットのうち、前記閉成係合受部よりも前記前面枠の開閉方向に沿って前記前面開閉スイッチユニットから離れた位置には、前記検出押圧部が前記前面開閉検出片を押圧した状態で前記閉成係合部が当接可能な閉成当接受部を備えたことを特徴とする請求項１から請求項４のいずれかに記載の遊技機である。
【発明の効果】
【００１２】
本発明によれば、以下のような優れた効果を奏する。
請求項１に記載の発明によれば、前面開閉検出機構は、前面開閉検出片が押圧操作されて前面枠の閉成を検出する前面開閉スイッチユニットと、前面開閉検出片を押圧操作可能な前面押圧操作ユニットと、を備え、機枠または前面枠のいずれか一方には前面開閉スイッチユニットを装着するとともに、他方には前面押圧操作ユニットを装着し、前面開閉スイッチユニットは、前面枠が閉成すると前面押圧操作ユニットに係合可能な閉成係合部を備え、前面押圧操作ユニットは、当該前面押圧操作ユニットに前面枠の開閉方向に沿って移動可能な状態で装着され、閉成係合部を係合可能な閉成係合受部と、該閉成係合受部とともに移動可能な状態で装着され、前面開閉検出片を押圧可能な検出押圧部と、を備え、検出押圧部が前面開閉検出片を押圧した状態では閉成係合部が閉成係合受部から外れて位置し、前面枠を開放して前面開閉スイッチユニットと前面押圧操作ユニットとを前面枠の開閉方向に離間させた状態では、閉成係合部と閉成係合受部との離間距離を、前面開閉検出片と検出押圧部との離間距離よりも狭く設定し、前面開閉スイッチユニットと前面押圧操作ユニットとが予め設定された適正対向位置に位置した状態で前面枠を閉成すると、検出押圧部が前面開閉検出片を押圧操作するとともに、閉成係合部と閉成係合受部との係合が回避され、前面開閉スイッチユニットと前面押圧操作ユニットとが適正対向位置とは異なる不適正対向位置に位置した状態で前面枠を閉成すると、検出押圧部と前面開閉検出片とが離間した状態で閉成係合部と閉成係合受部とが係合して、検出押圧部が閉成係合受部および閉成係合部とともに移動して前面開閉検出片との離間状態を維持するように構成されたので、機枠が歪んでいるか否か、ひいては閉成状態の前面枠が正常な姿勢に設定されているか否かを、前面枠の開閉検出手段により検知することができる。したがって、前面枠が異常な姿勢のまま遊技が実行される不都合を阻止することができる。また、機枠の歪み検出手段を前面枠の開閉検出手段とは別個に設ける必要がなく、機枠の歪みを検出可能な遊技機の構造が複雑になることを抑えることができる。
【００１３】
請求項２に記載の発明によれば、検出押圧部は、閉成係合受部に対して前面枠の開閉方向に沿って移動可能であり、前面開閉スイッチユニットと前面押圧操作ユニットとが適正対向位置に位置した状態で前面枠を閉成すると、前面開閉検出片が押圧操作された状態の前面開閉スイッチユニットにより検出押圧部を押圧して移動するように構成されたので、前面枠を押し込んで十分に閉成したとしても、前面押圧操作ユニットが前面開閉スイッチユニットを押圧し過ぎてしまう不都合、ひいては前面開閉スイッチユニットが前面押圧操作ユニットの押圧力により損傷してしまう不都合を避けることができる。
【００１４】
請求項３に記載の発明によれば、前面押圧操作ユニットは、機枠または前面枠のうち当該前面押圧操作ユニットを装着する箇所に止着される操作ユニットベースと、該操作ユニットベースと検出押圧部との間に位置し、前面開閉スイッチユニットに対向し得る箇所に閉成係合受部が設けられた係合受部ベースと、閉成係合受部および係合受部ベースを、操作ユニットベースに対して前面枠の開閉方向に沿って移動可能とする係合受部移動機構と、検出押圧部を、閉成係合受部および係合受部ベースに対して前面枠の開閉方向に沿って移動可能とする押圧部移動機構と、を備え、係合受部移動機構は、操作ユニットベースに設けられ、前面枠の開閉方向に沿って延在する係合ガイド溝と、係合受部ベースに設けられ、係合ガイド溝に沿って摺動可能な係合ガイドアームと、を備えて構成され、押圧部移動機構は、係合受部ベースに設けられ、前面枠の開閉方向に沿って延在する押圧ガイド部と、検出押圧部に設けられ、押圧ガイド部上を摺動可能な押圧摺動部と、を備えて構成されたので、前面開閉スイッチユニットの押圧し過ぎを避けることが可能な構造を簡単な構成要素で実現することができる。
【００１５】
請求項４に記載の発明によれば、操作ユニットベースと係合受部ベースとの間には、閉成係合受部を閉成係合部から受ける押圧力に抗して付勢する係合付勢部材を備え、係合受部ベースと検出押圧部との間には、検出押圧部を前面開閉スイッチユニットから受ける押圧力に抗して付勢する押圧付勢部材を備えたので、前面枠の閉成操作において前面押圧操作ユニットが前面開閉スイッチユニットから受ける衝撃を効率よく吸収することができ、前面開閉検出機構が衝撃で損傷してしまう不都合を抑制することができる。
【００１６】
請求項５に記載の発明によれば、前面押圧操作ユニットのうち、閉成係合受部よりも前面枠の開閉方向に沿って前面開閉スイッチユニットから離れた位置には、検出押圧部が前面開閉検出片を押圧した状態で閉成係合部が当接可能な閉成当接受部を備えたので、前面開閉スイッチユニットと前面押圧操作ユニットとが適正対向位置に位置した状態で前面枠を閉成したときに、前面開閉スイッチユニットと前面押圧操作ユニットとの接触箇所を前面開閉検出片とは別個に設けることができ、前面枠を閉成して発生する衝撃が前面開閉検出片に集中して掛かってしまう不都合、ひいては前面開閉スイッチユニットが損傷する不都合を一層抑えることができる。
【図面の簡単な説明】
【００１７】
【図１】パチンコ遊技機の斜視図である。
【図２】透明部材保持枠を開放して遊技盤を外したパチンコ遊技機の斜視図である。
【図３】機枠に対して前面枠を開放したパチンコ遊技機の斜視図である。
【図４】（ａ）は前面枠本体の装着された保持枠開閉スイッチユニットの説明図、（ｂ）は前面枠本体に装着された前面開閉スイッチユニットの説明図である。
【図５】一体化された保持枠開閉スイッチユニットおよび前面開閉スイッチユニットの説明図であり、（ａ）は前方から見た斜視図、（ｂ）は後方から見た斜視図である。
【図６】機枠から外された状態の保持枠開閉スイッチユニットおよび前面開閉スイッチユニットの分解斜視図である。
【図７】保持枠押圧操作部の説明図であり、（ａ）は透明部材保持枠に取り付けた状態図、（ｂ）は後方から見た斜視図である。
【図８】機枠に止着された前面押圧操作ユニットの説明図である。
【図９】（ａ）は前面押圧操作ユニットの斜視図、（ｂ）は前面押圧操作ユニットの平面図である。
【図１０】（ａ）は前面押圧操作ユニットの分解斜視図であり、（ｂ）は操作ユニットベースの後方から見た斜視図である。
【図１１】制御系統のブロック構成図である。
【図１２】前面開閉検出機構の作用の説明図であり、（ａ）は機枠が正常な状態における作用の説明図、（ｂ）は機枠が異常な状態における作用の説明図である。
【図１３】左右両側に閉成係合部および閉成係合受部を備えた前面開閉検出機構の説明図であり、（ａ）は機枠が正常な状態における作用の説明図、（ｂ）は機枠が異常な状態における作用の説明図である。
【図１４】閉成摺動面を備えた前面開閉検出機構の説明図であり、（ａ）は機枠が正常な状態における作用の説明図、（ｂ）は機枠が異常な状態に変換したときの作用の説明図である。
【図１５】（ａ）は閉成係合受部を環状に形成した前面開閉検出機構の説明図であり、（ｂ）は環状の閉成係合受部および閉成当接受部の概略図である。
【図１６】位置合わせ突起と位置合わせ開口とを備えた前面開閉検出機構の説明図であり、（ａ）は斜視図、（ｂ）は位置合わせ開口が開設された検出押圧部の斜視図である。
【図１７】位置合わせ突起と位置合わせ開口とを備えた前面開閉検出機構の作用の説明図であり、（ａ）は機枠が正常な状態における作用の説明図、（ｂ）は機枠が異常な状態に変換したときの作用の説明図である。
【発明を実施するための形態】
【００１８】
以下、代表的な遊技機であるパチンコ遊技機を例に挙げて本発明の実施の形態を図面に基づき説明する。
パチンコ遊技機１は、図１および図２に示すように、遊技島（図示せず）に固定される矩形状の機枠（外枠）２の一側（図１中、左側）に前面枠（内枠）３を開閉可能な状態で軸着し、該前面枠３のベースとなる略額縁状の前面枠本体４には、表面に遊技領域５が区画形成された矩形状の遊技盤６（図２参照）を収納可能としている。また、前面枠本体４の表面のうち機枠２への軸着側（図１中、左側）には透明部材保持枠８を開閉可能に設け、該透明部材保持枠８に透視可能な透明部材９を保持し、透明部材９を通して遊技領域５をパチンコ遊技機１の前方から透視できるように構成している。さらに、透明部材保持枠８の下部には上皿ユニット１１を設け、透明部材保持枠８の下方には下皿ユニット１２を上皿ユニット１１に対して左右方向にずれた位置に配置している。また、下皿ユニット１２の一側方（図１中、右側方）には、発射装置１３（図２参照）を操作するための発射操作ユニット（発射操作ハンドル）１４を備え、他側方（図１中、左側方）にはスピーカ１５を備え、上皿ユニット１１の前側には、遊技中に遊技者が操作するための遊技演出用ボタン１８を備えている。
【００１９】
前面枠本体４は、大きな矩形状の開口を上寄りに開設した合成樹脂製枠体であり、額縁状の遊技盤収納フレーム２０を備え、該遊技盤収納フレーム２０内に遊技盤６を前面枠本体４の前方から着脱可能な状態で収納している。また、遊技盤収納フレーム２０の下方にはフレームボード部２１を備え、該フレームボード部２１の上端には遊技盤載置部２２を設け、該遊技盤載置部２２に遊技盤６の下端を載置している。さらに、図２に示すように、フレームボード部２１の前面には、遊技球を遊技領域５へ向けて発射する発射装置１３を備え、該発射装置１３には、当該発射装置１３から発射される遊技球を遊技盤６側へ向けて斜め上方へ誘導する発射レール２３を備えている。さらに、前面枠本体４のうち遊技盤収納フレーム２０を挟んで軸着部とは反対の開放縁部（図３中、左側縁部）には縦長な施錠ユニット２５を備え、該施錠ユニット２５により透明部材保持枠８を前面枠３に対して閉じた閉成状態に維持可能、または前面枠３を機枠２に対して閉じた閉成状態に維持可能としている。
【００２０】
また、図３に示すように、前面枠本体４の裏面側には裏機構盤２８を形成し、該裏機構盤２８に略矩形状の開口窓部２９を開設して遊技盤収納フレーム２０の内側開口を連通し、遊技盤収納フレーム２０に装着された遊技盤６の後部（裏面側部）を開口窓部２９から後方へ臨ませている。さらに、裏機構盤２８には一連の裏機構部品を設けている。具体的に説明すると、裏機構盤２８の上部には、上流側から順に、球導出シュートを下部に備えた球タンク３１、球タンク３１の球導出シュートから遊技球を案内する案内流路３２、案内流路３２の下端に接続された球払出装置３３、球払出装置３３から流下した遊技球を上皿ユニット１１へ送る球流下路３４等を接続して取り付けている。また、裏機構盤２８の下部には排出制御装置３５、電源装置３６、中継基板３７等をそれぞれ取り付け、裏機構盤２８のうち案内流路３２の上方には、パチンコ遊技機１からの信号を外部へ送信するための外部情報端子３８を取り付けている。なお、遊技盤６の裏面のうち裏機構盤２８の開口窓部２９から臨む部分には、略矩形状の大きな裏側ベース４０を配置し（図２参照）、該裏側ベース４０には遊技制御装置４１と演出制御装置４２とを装着している（図１１参照）。また、遊技盤６の表面に区画形成された遊技領域５の中央部分には、遊技の進行に伴って演出表示を実行可能な表示装置４３を備えている。
【００２１】
そして、パチンコ遊技機１の上縁部には、透明部材保持枠８の開閉（詳しくは前面枠本体４に対する開閉）を検出可能な保持枠開閉検出機構４６（図２参照）と、前面枠３の開閉（詳しくは機枠２に対する開閉）を検出可能な前面開閉検出機構４７（図３参照）とを備えている。また、保持枠開閉検出機構４６を、前面枠本体４に設けられた保持枠開閉スイッチユニット５０と、透明部材保持枠８に設けられた保持枠押圧操作部５１とで構成する一方、前面開閉検出機構４７を、前面枠本体４に設けられた前面開閉スイッチユニット５３と、機枠２に設けられた前面押圧操作ユニット５４とで構成し、保持枠開閉スイッチユニット５０と前面開閉スイッチユニット５３とを一体化した状態で前面枠本体４へ装着している。
【００２２】
保持枠開閉検出機構４６は、図４（ａ）に示すように、前面枠本体４の上縁部のうち遊技盤６を挟んで透明部材保持枠８の軸着側とは反対側（図２中、左側）に保持枠スイッチホルダー５７を配置し、該保持枠スイッチホルダー５７内には保持枠開閉検出スイッチ５８を、保持枠開閉検出片５８ａが前面枠本体４の表面側（透明部材保持枠８が重合する側）へ露出した状態で保持して保持枠開閉スイッチユニット５０を構成している。そして、保持枠開閉検出スイッチ５８の保持枠開閉検出片５８ａを透明部材保持枠８側へ常時付勢している。また、保持枠スイッチホルダー５７には保持枠スイッチ係合爪５７ａ（図５（ａ）参照）を保持枠開閉検出スイッチ５８側へ向けて突設し、該保持枠スイッチ係合爪５７ａを保持枠開閉検出スイッチ５８に形成された保持枠スイッチ係合受部（図示せず）へ係合して、保持枠開閉検出スイッチ５８が保持枠スイッチホルダー５７から脱落する不都合を阻止している。
【００２３】
なお、保持枠開閉スイッチユニット５０の一部を構成する保持枠スイッチホルダー５７は、図５に示すように、前面枠本体４の上縁部に沿って延在する横長なホルダーケース６０のうち、透明部材保持枠８の軸着側（図５（ａ）中、左側）を前面枠本体４の表面側から凹ませて形成されている。また、ホルダーケース６０の長手方向の中間部にはケース係止突起６１を前面枠本体４の前方へ向けて突設し、前面枠本体４の上縁部には、保持枠開閉検出スイッチ５８の保持枠開閉検出片５８ａを臨ませるスイッチ露出開口６２を開設し、該スイッチ露出開口６２の開口縁にはケース係止受部６３を形成している。そして、図６に示すように、ホルダーケース６０を前面枠本体４へ当該前面枠本体４の裏面側から装着して、スイッチ露出開口６２から保持枠開閉検出片５８ａを透明部材保持枠８側へ臨ませるとともにケース係止受部６３にケース係止突起６１を係合し、この状態でホルダーケース６０の端部と前面枠本体４とをビス等の止着部材６４で止着している。
【００２４】
また、図７に示すように、透明部材保持枠８の裏面側のうち保持枠開閉検出スイッチ５８に対向し得る箇所（具体的には、透明部材保持枠８の裏面の上縁部）には、例えば、横長な板バネで構成された保持枠押圧操作部５１を備え、該保持枠押圧操作部５１の弾性を、保持枠開閉検出片５８ａを常時付勢する付勢部材（図示せず）の弾性よりも強く設定している。さらに、保持枠押圧操作部５１の一側部（図７（ａ）中、左側部）を透明部材保持枠８に固定するとともに、他側部（図７（ａ）中、右側部）を透明部材保持枠８に開設された遊嵌口６５へ透明部材保持枠８の裏面側から遊嵌して、保持枠押圧操作部５１を片持ち支持状態に設定し、保持枠押圧操作部５１を透明部材保持枠８の表裏方向へ撓み可能としている。また、保持枠押圧操作部５１の他側部の先端には爪部５１ａを形成し、該爪部５１ａを遊嵌口６５の縁部へ透明部材保持枠８の表面側から係合して保持枠押圧操作部５１の他側部が遊嵌口６５から外れることを阻止している。
【００２５】
このような構成を備えた保持枠開閉検出機構４６においては、透明部材保持枠８を前面枠３に対して十分に閉じると、保持枠押圧操作部５１が保持枠開閉検出片５８ａを押圧して保持枠開閉検出スイッチ５８をＯＮ状態へ変換し、透明部材保持枠８が閉じていることを検出する。一方、透明部材保持枠８を前面枠３に対して開くと、保持枠押圧操作部５１が保持枠開閉検出片５８ａから離れて保持枠開閉検出スイッチ５８をＯＦＦ状態へ変換し、透明部材保持枠８が開いていることを検出する。
【００２６】
前面開閉検出機構４７の一部を構成する前面開閉スイッチユニット５３は、保持枠開閉スイッチユニット５０と一体化された状態で前面枠本体４に設けられている。具体的に説明すると、図５（ｂ）に示すように、ホルダーケース６０のうち前面枠本体４の開放端側、言い換えるとケース係止突起６１を挟んで保持枠スイッチホルダー５７とは反対側（図５（ｂ）中、左側）を前面枠本体４の裏面側から凹ませて前面スイッチホルダー６７を形成し、該前面スイッチホルダー６７内には前面開閉検出スイッチ６８を前面開閉検出片６８ａが前面枠本体４の裏面側（機枠２が重合する側）へ露出した状態で保持し、前面開閉検出スイッチ６８の前面開閉検出片６８ａを機枠２側へ常時付勢している。そして、前面開閉検出片６８ａが押圧操作されると、前面開閉検出スイッチ６８がＯＮ状態に変換して遊技制御装置４１へ検出信号を送信する。一方、前面開閉検出片６８ａの押圧操作が解除されると、前面開閉検出スイッチ６８がＯＦＦ状態に変換して遊技制御装置４１への検出信号の送信を停止するように構成されている。なお、前面開閉スイッチユニット５３の作用については、後で詳細に説明する。
【００２７】
また、前面スイッチホルダー６７には前面スイッチ係合爪６７ａを前面開閉検出スイッチ６８側へ向けて突設し、該前面スイッチ係合爪６７ａを前面開閉検出スイッチ６８に形成された前面スイッチ係合受部６８ｂへ係合して、前面開閉検出スイッチ６８が前面スイッチホルダー６７から脱落する不都合を阻止している。さらに、前面開閉スイッチユニット５３のうち前面開閉検出スイッチ６８よりも保持枠開閉検出スイッチ５８側（図５（ｂ）中、右側）の位置には、前面枠本体４の表裏方向に延在する円筒状の前面側係合突起７０を突設し、該前面側係合突起７０の後端部（機枠２側に位置する突出端部）を閉成係合部７１として前面開閉検出スイッチ６８の前面開閉検出片６８ａよりも機枠２側に位置する状態で備え、機枠２が後述する歪み状態で前面枠３が閉成すると閉成係合部７１が前面押圧操作ユニット５４に係合し得るように構成されている。
【００２８】
前面開閉検出片６８ａを押圧操作可能な前面押圧操作ユニット５４は、図８〜図１０に示すように、機枠２のうち前面押圧操作ユニット５４を装着する箇所（具体的には、機枠２の上縁部を形成する上框２ａの下面のうち前面枠本体４の開放端側（図８中、右側））に止着される横長な操作ユニットベース７５と、操作ユニットベース７５よりも前方の前面枠３側に位置する検出押圧部７６と、該検出押圧部７６と操作ユニットベース７５との間に位置する係合受部ベース７７と、操作ユニットベース７５に係合受部ベース７７を前面枠３の開閉方向に沿って移動可能な状態で接続する係合受部移動機構７８と、係合受部ベース７７に検出押圧部７６を前面枠３の開閉方向に沿って移動可能な状態で接続する押圧部移動機構７９と、を備えて構成されている。
【００２９】
操作ユニットベース７５は、上部に横長な短冊状の止着フランジ部７５ａを設け、該止着フランジ部７５ａをビス等の止着部材８１（図８参照）によって上框２ａの下面へ止着するように構成されている。また、操作ユニットベース７５の左右方向の中央部には、係合受部移動機構７８の一部となる２つの係合ガイド溝８２を前面枠３の開閉方向（言い換えると機枠２の表裏方向）に沿って延在する状態で設け、操作ユニットベース７５の後部には係合開口部８３を貫通して係合ガイド溝８２の後端部に連通している（図１０（ｂ）参照）。
【００３０】
係合受部ベース７７は、横幅（詳しくは機枠２の左右方向に沿った横幅）が操作ユニットベース７５よりも短く設定された部材であり、図１０（ａ）に示すように、当該係合受部ベース７７の左右方向の中央部には、検出押圧部７６を装着する装着空間部８６を上側および前側が開放した状態で形成し、該装着空間部８６の下縁を区画する平らな空間底面を押圧部移動機構７９の一部となる押圧ガイド部８７として前面枠３の開閉方向に沿って延在させている。また、係合受部ベース７７のうち、装着空間部８６および検出押圧部７６の側方（図１０（ａ）中、左側方）であって前面開閉スイッチユニット５３に対向し得る箇所には、機枠２の表裏方向に沿って延在する円筒状の閉成係合突起８９を突設し、該閉成係合突起８９の前端部（前面枠３側に位置する突出端部）を閉成係合受部９０とし、機枠２が後述する歪み状態で前面枠３が閉成すると閉成係合部７１が閉成係合受部９０に係合し得るように構成されている。さらに、装着空間部８６と閉成係合受部９０との間には、閉成係合突起８９に平行な円筒状の閉成当接突起９１を突設し、該閉成当接突起９１の前端部（前面枠３側に位置する突出端部）を閉成当接受部９２とし、該閉成当接受部９２を閉成係合受部９０よりも後方の操作ユニットベース７５側に位置させている（図９（ｂ）参照）。言い換えると、閉成当接受部９２を閉成係合受部９０よりも前面枠３の開閉方向に沿って前面開閉スイッチユニット５３から離れた位置に設定している。そして、係合受部ベース７７のうち操作ユニットベース７５側を向いた後側部からは、係合受部移動機構７８の一部となる係合ガイドアーム９４を後方の操作ユニットベース７５側へ向けて延設して係合ガイド溝８２へ係合し、係合ガイドアーム９４が係合ガイド溝８２（係合ガイド溝８２の延在方向）に沿って摺動すると、係合受部ベース７７が閉成係合受部９０および閉成当接受部９２とともに前面枠３の開閉方向に沿って移動するように構成されている。
【００３１】
また、図９（ｂ）および図１０（ａ）に示すように、操作ユニットベース７５と係合受部ベース７７との間のうち係合受部移動機構７８の左右両側方にはコイルばね等の係合付勢部材９６を備えている。そして、係合受部ベース７７の後部には一端嵌合受部９７を前方の前面枠３側へ向けて凹ませて形成する一方、操作ユニットベース７５の前部には他端嵌合受部９８を後方（係合付勢部材９６を挟んで係合受部ベース７７とは反対側）へ向けて凹ませることにより形成し、係合付勢部材９６の一端（前端）を一端嵌合受部９７へ嵌合するとともに他端（後端）を他端嵌合受部９８へ嵌合して、係合付勢部材９６が係合受部ベース７７、閉成係合受部９０、閉成当接受部９２を前方の前面開閉スイッチユニット５３側へ常時付勢し、前面枠３の閉成状態において閉成係合受部９０が閉成係合部７１から押圧力を受けた場合には、この押圧力に抗して閉成係合受部９０を付勢するように構成されている。さらに、係合ガイドアーム９４の後端部（操作ユニットベース７５側に位置する延出端部）にはアーム係合爪９４ａを突設して係合開口部８３へ係合し、常態（係合受部ベース７７が前面開閉スイッチユニット５３側から押圧されていない状態）においては、付係合付勢部材９６の付勢力により係合受部ベース７７と操作ユニットベース７５とが前後方向に離間する状態を維持し、且つ係合受部ベース７７が操作ユニットベース７５から脱落することを阻止している。
【００３２】
検出押圧部７６は、前面開閉検出片６８ａに接触可能な検出接触部７６ａが前面枠３側に突出した状態で形成された平板状の部材である。また、検出押圧部７６の左右両側縁には、押圧部移動機構７９の一部となる舌片状の押圧摺動部１０１を後方の係合受部ベース７７側へ向けて延設して装着空間部８６内に挿入し、押圧摺動部１０１が押圧ガイド部８７上を前面枠３の開閉方向に沿って摺動することにより、検出押圧部７６が閉成係合受部９０および係合受部ベース７７に対して前面枠３の開閉方向に沿って移動可能としている。さらに、係合受部ベース７７と検出押圧部７６との間にはコイルばね等の押圧付勢部材１０２を装着空間部８６内に収納して備え、検出押圧部７６の上端から延設された付勢カバープレート１０３により押圧付勢部材１０２を上方から被覆している。そして、押圧付勢部材１０２の一端を装着空間部８６の後部（操作ユニットベース７５側）から突設された一端係合突起１０４に係合する一方、他端を検出押圧部７６のうち装着空間部８６側に向いた後面から突設された他端係合突起１０５へ係合し（図９（ｂ）参照）、押圧付勢部材１０２が検出押圧部７６を前方の前面開閉スイッチユニット５３側へ常時付勢し、前面枠３の閉成状態において検出接触部７６ａが前面開閉検出片６８ａから押圧力を受けた場合には、この押圧力に抗して検出押圧部７６を付勢するように構成されている。さらに、押圧付勢部材１０２の弾性を、前面開閉検出片６８ａを常時付勢する付勢部材（図示せず）の弾性、および２つの係合付勢部材９６で構成される弾性構造の弾性よりも強く設定している。
【００３３】
また、押圧摺動部１０１の後端部（操作ユニットベース７５側に位置する延出端部）には摺動係合爪１０１ａを突設し、該摺動係合爪１０１ａを装着空間部８６の側部に設けられた摺動ストッパー１０７へ操作ユニットベース７５側から係合可能とし、押圧付勢部材１０２の付勢力により検出押圧部７６が係合受部ベース７７から脱落することを阻止している。さらに、装着空間部８６のうち押圧摺動部１０１の上方に位置する箇所には離脱阻止片１０８を突設し、押圧摺動部１０１が装着空間部８６の上側開放箇所から外れる不都合を離脱阻止片１０８により阻止している。なお、押圧付勢部材１０２の付勢力の作用により摺動係合爪１０１ａと摺動ストッパー１０７との係合が維持されている状態（ストッパー係合状態）においては、検出接触部７６ａが閉成係合受部９０および閉成当接受部９２よりも前方の前面枠３側に位置し、閉成係合受部９０が閉成係合部７１から押圧力を受けて係合受部ベース７７が移動すると、検出押圧部７６が係合受部ベース７７および閉成係合受部９０とともに移動することになる。
【００３４】
このような構成を備えた前面開閉検出機構４７においては、図９（ｂ）に示すように、閉成係合受部９０を閉成当接受部９２よりも機枠２の左右方向に沿って検出接触部７６ａから離れた位置、且つ前面枠３の開閉方向に沿って前面開閉スイッチユニット５３から離れた位置に配置している。そして、前面開閉スイッチユニット５３と前面押圧操作ユニット５４とが予め設定された適正対向位置、詳しくは検出押圧部７６の検出接触部７６ａと前面開閉検出片６８ａとを対向させる適正対向位置に位置する状態では、閉成係合受部９０が閉成係合部７１とは対向せずに閉成当接受部９２に対向するように構成されている。したがって、検出押圧部７６が前面開閉検出片６８ａを押圧した状態では、閉成係合部７１が閉成係合受部９０から外れて位置して、閉成当接受部９２へ当接する。また、前面枠３を開放して前面開閉スイッチユニット５３と前面押圧操作ユニット５４とを前面枠３の開閉方向に離間させた状態では、閉成係合部７１と閉成係合受部９０との前後方向（前面枠３の開閉方向）に沿った離間距離ｄ１を、前面開閉検出片６８ａと検出押圧部７６（詳しくはストッパー係合状態における検出押圧部７６の検出接触部７６ａ）との前後方向（前面枠３の開閉方向）に沿った離間距離ｄ２よりも狭く設定している。
【００３５】
さらに、押圧操作されていない前面開閉検出片６８ａと閉成係合部７１との前後方向（前面枠３の開閉方向）に沿った離間距離ＤＡを、ストッパー係合状態の検出押圧部７６における検出接触部７６ａと閉成係合受部９０との前後方向に沿った離間距離ＤＢよりも広く設定し、ストッパー係合状態の検出押圧部７６における検出接触部７６ａと閉成当接受部９２との前後方向に沿った離間距離ＤＣよりも狭く設定している。
【００３６】
次に、パチンコ遊技機１の遊技進行等の制御を行う遊技制御装置４１、および該遊技制御装置４１を中心とする制御系統について説明する。
遊技制御装置４１は、遊技制御を司るＣＰＵ、遊技制御のためのプログラム等を記憶しているＲＯＭ、および遊技制御時にワークエリアとして利用されるＲＡＭ、入出力インターフェース等から構成されている。そして、各種検出装置（始動口スイッチ１１１、ゲートスイッチ１１２、カウントスイッチ１１３、入賞口スイッチ１１４、保持枠開閉検出スイッチ５８、前面開閉検出スイッチ６８、磁気／振動スイッチ（磁気／振動センサ）１１５）からの信号を受信して、変動表示遊技（普図変動表示ゲーム、特図変動表示ゲーム）の実行、特別遊技状態（大当たり状態）の発生、遊技者に対する報知等、種々の処理を行う。さらに、サブ制御装置となる各種制御装置（演出制御装置４２、排出制御装置３５）の他、普電開閉ソレノイド１１６、大入賞口ソレノイド１１７、特別図柄表示器１１８、普通図柄表示器１１９、遊技状態表示器１２０、外部情報端子３８等に指令信号を送信して、遊技を統括的に制御する。
【００３７】
また、演出制御装置４２は、演出制御を司るＣＰＵ、演出制御のためのプログラム等を記憶しているＰＲＯＭ、および演出制御時にワークエリアとして利用されるＲＡＭ等から構成されている。そして、遊技制御装置４１からの信号や、遊技演出用ボタン（演出ボタンスイッチ）１８からの信号等を受信して、遊技中の演出動作に関する処理を行う。さらに、表示装置４３、装飾／演出装置１２１、スピーカ１５などに指令信号を送信したり、演出制御に関する処理情報等を遊技制御装置４１へ送信したりする。
【００３８】
次に、前面開閉検出機構４７の作用について説明する。
まず、機枠２が歪まずに設計どおりの形状のままでいる正常状態で前面枠３を機枠２に対して閉成すると、前面開閉スイッチユニット５３と前面押圧操作ユニット５４とが予め設定された適正対向位置に位置した状態で近づき、前面開閉検出片６８ａと検出接触部７６ａとが対向するとともに、閉成係合部７１と閉成当接受部９２とが対向する。この状態で引き続き前面枠３を閉成すると、図１２（ａ）に示すように、検出押圧部７６が前面開閉検出片６８ａを押圧操作するとともに、閉成係合部７１と閉成係合受部９０との係合が回避され、閉成係合部７１が閉成当接受部９２に接近する。そして、前面枠本体４の後縁部と機枠２の前縁部とが当接するまで前面枠３を機枠２側へ押し付けて十分に閉成すると（図１および図２参照）、前面開閉検出片６８ａが押圧操作された状態の前面開閉スイッチユニット５３が押圧付勢部材１０２の付勢力に抗して検出押圧部７６を押圧して操作ユニットベース７５側へ移動させ、検出押圧部７６のストッパー係合状態が解除される。したがって、前面枠３を押し込んで十分に閉成したとしても、前面押圧操作ユニット５４が前面開閉スイッチユニット５３を押圧し過ぎてしまう不都合、ひいては前面開閉スイッチユニット５３が前面押圧操作ユニット５４の押圧力により損傷してしまう不都合を避けることができる。
【００３９】
さらに、検出押圧部７６が前面開閉検出片６８ａを押圧した状態で、閉成係合部７１が閉成係合受部９０から側方（図１２（ａ）中、左側方）に外れて位置して閉成当接受部９２に当接する。この結果、前面開閉スイッチユニット５３と前面押圧操作ユニット５４とが適正対向位置に位置した状態で前面枠３を閉成したときに、前面開閉スイッチユニット５３と前面押圧操作ユニット５４との接触箇所を前面開閉検出片６８ａとは別個に設けることができ、前面枠３を閉成して発生する衝撃が前面開閉検出片６８ａに集中して掛かってしまう不都合、ひいては前面開閉スイッチユニット５３が損傷する不都合を一層抑えることができる。また、閉成当接受部９２に当接する閉成係合部７１は、閉成当接受部９２を押し込まないため、係合受部ベース７７が操作ユニットベース７５側へ移動することが回避される。これにより、検出押圧部７６がストッパー係合状態に戻ること、さらには操作ユニットベース７５側に引っ張られることがなく、前面開閉検出片６８ａの押圧操作状態を維持することができる。
【００４０】
そして、前面枠３が閉成されて前面開閉検出片６８ａが押圧操作されると、前面開閉検出スイッチ６８が前面枠３の閉成を検出して検出信号（閉成検出信号）を送信する。閉成検出信号を受信した遊技制御装置４１は、この受信に基づいて遊技開始や遊技進行に関する各制御の実行を許容したり、遊技店内の管理装置（図示せず）等に対して前面枠３が開放されている旨の報知を行わない制御を実行したりする。
【００４１】
次に、機枠２が歪んで当初の設計とは異なる異常状態である場合、この状態の機枠２に対して前面枠３を閉成すると、前面開閉スイッチユニット５３と前面押圧操作ユニット５４とが適正対向位置とは異なる不適正対向位置に位置した状態で近づく。例えば、機枠２が歪んで上框２ａが正常の位置よりも前面枠３の開放端側にずれている状態では、図１２（ｂ）に示すように、前面開閉検出片６８ａと検出接触部７６ａとが対向するとともに、閉成係合部７１と閉成係合受部９０とが対向する。この状態で引き続き前面枠３を閉成すると、検出押圧部７６と前記前面開閉検出片６８ａとが離間した状態で閉成係合部７１と閉成係合受部９０とが係合して、前面開閉検出片６８ａの押圧操作が阻止される。さらに、前面枠本体４の後縁部と機枠２の前縁部とが当接するまで前面枠３を機枠２側へ押し付けて十分に閉成すると、閉成係合部７１が係合付勢部材９６の付勢力に抗して閉成係合受部９０を押圧して係合受部ベース７７を操作ユニットベース７５側へ押し込み、ストッパー係合状態の検出押圧部７６が係合受部ベース７７、閉成係合受部９０、前面開閉スイッチユニット５３（閉成係合部７１、前面開閉検出片６８ａ）とともに操作ユニットベース７５側へ移動して、前面開閉検出片６８ａとの離間状態を維持する。
【００４２】
そして、前面枠３が閉成されたにも拘らず前面開閉検出片６８ａが押圧操作されないため、前面開閉検出スイッチ６８が閉成検出信号を送信しない。この結果、閉成検出信号を受信しない遊技制御装置４１は、遊技開始や遊技進行に関する各制御の実行を阻止し、機枠２が歪んでいる可能性がある旨などの報知処理を実行する。例えば、報知信号を外部情報端子３８から出力して遊技店内の管理装置へ送信したり、報知実行コマンドを演出制御装置４２へ送信して表示装置４３におけるエラーメッセージの表示やスピーカ１５によるエラー報知音の出力を実行させたりする制御を行う。このようにして、機枠２が歪んでいるか否か、ひいては閉成状態の前面枠３が正常な姿勢に設定されているか否かを、前面枠３の開閉検出手段である前面開閉検出機構４７により検知することができる。これにより、前面枠３や遊技盤６が異常な姿勢のまま遊技が実行される不都合を阻止することができる。また、機枠２の歪み検出手段を前面枠３の開閉検出手段とは別個に設ける必要がなく、機枠２の歪みを検出可能なパチンコ遊技機１の構造が複雑になることを抑えることができる。
【００４３】
さらに、前面押圧操作ユニット５４は、係合ガイド溝８２と係合ガイドアーム９４とを備えて係合受部移動機構７８を構成し、押圧ガイド部８７と押圧摺動部１０１とを備えて押圧部移動機構７９を構成したので、前面開閉スイッチユニット５３の押圧し過ぎを避けることが可能な構造を簡単な構成要素で実現することができる。また、操作ユニットベース７５と係合受部ベース７７との間には係合付勢部材９６を備え、係合受部ベース７７と検出押圧部７６との間には押圧付勢部材１０２を備えたので、前面枠３の閉成操作において前面押圧操作ユニット５４が前面開閉スイッチユニット５３から受ける衝撃を効率よく吸収することができ、前面開閉検出機構４７が衝撃で損傷してしまう不都合を抑制することができる。
【００４４】
なお、図１３に示す変形例のように、前面開閉検出スイッチ６８の左右両側方に閉成係合部７１をそれぞれ備えるとともに、係合受部ベース７７の左右両側部に閉成係合受部９０をそれぞれ備えれば、機枠２が歪んで上框２ａが正常の位置よりも前面枠３の開放端側にずれている状態で前面枠３を閉成した場合に、係合受部ベース７７の左右両側を操作ユニットベース７５側へ押圧することができる（図１３（ｂ）参照）。したがって、前面開閉スイッチユニット５３からの押圧力が係合受部ベース７７の一側に偏って付与されることがなく、係合受部ベース７７をスムーズに操作ユニットベース７５側へ移動させることができる。
【００４５】
ところで、上記実施形態における前面開閉検出機構４７では、前面枠３を閉成する過程において機枠２の歪みを検出可能としたが、本発明はこれに限定されない。例えば、図１４に示す第２実施形態では、基本的な構成は第１実施形態と同じであるが、閉成係合部７１が閉成当接受部９２と閉成係合受部９０との間を移動可能とする構成を備えた点で異なる。具体的に説明すると、閉成当接受部９２と閉成係合受部９０との間を閉成係合部７１が摺動可能な閉成摺動面１２５で接続し、該閉成摺動面１２５を閉成当接受部９２側から閉成係合受部９０側へ向かうにつれて次第に前面開閉スイッチユニット５３側に位置する状態で傾斜させている。
【００４６】
このような構成の閉成摺動面１２５を備えた前面開閉検出機構４７においては、歪みのない正常な機枠２に対して前面枠３を閉成し（図１４（ａ）参照）、この閉成状態の最中に機枠２が歪んで上框２ａおよび前面押圧操作ユニット５４が正常の位置よりも前面枠３の開放端側へずれ始めると、閉成係合部７１を当接している閉成当接受部９２が閉成係合部７１上を摺動し、閉成摺動面１２５が閉成係合部７１の縁部（閉成係合受部９０側に位置する縁部）に当接する。さらに上框２ａおよび前面押圧操作ユニット５４が前面枠３の開放端側へずれると、閉成係合部７１の縁部が閉成摺動面１２５（詳しくは前面枠３の開放端側へ移動する閉成摺動面１２５）を摺動するとともに閉成摺動面１２５を操作ユニットベース７５側へ押圧し、この押圧力および押圧付勢部材１０２の付勢力により係合受部ベース７７が係合付勢部材９６の付勢力に抗して操作ユニットベース７５側へ移動する。このとき、検出押圧部７６は、摺動係合爪１０１ａと摺動ストッパー１０７とが係合するまで押圧付勢部材１０２の付勢力により前面開閉検出片６８ａを押圧操作し続ける。
【００４７】
さらに、図１４（ｂ）に示すように、係合受部ベース７７の移動により摺動係合爪１０１ａと摺動ストッパー１０７とが係合して検出押圧部７６がストッパー係合状態となり、引き続き上框２ａおよび前面押圧操作ユニット５４が前面枠３の開放端側へずれると、検出押圧部７６が係合受部ベース７７とともに操作ユニットベース７５側へ移動する。そして、閉成摺動面１２５が閉成係合部７１から側方へ移動して閉成係合受部９０が閉成係合部７１と係合し、閉成係合受部９０と閉成係合部７１との係合に伴ってストッパー係合状態の検出押圧部７６が係合受部ベース７７とともに操作ユニットベース７５側へ移動して前面開閉検出片６８ａから離れ、前面開閉検出片６８ａの押圧操作状態が解除される。この結果、前面枠３が閉成されているにも拘らず前面開閉検出片６８ａが押圧操作されないため、前面開閉検出スイッチ６８が閉成検出信号を送信しなくなり、閉成検出信号を受信しなくなった遊技制御装置４１が機枠２の歪みの報知処理を実行する。このことから、前面枠３が閉成されている最中に機枠２が歪む等して、前面開閉スイッチユニット５３と前面押圧操作ユニット５４との位置関係が適正対向位置から不適正対向位置にずれた場合には、閉成係合部７１を閉成当接受部９２から閉成係合受部９０側へ移動して前面開閉スイッチユニット５３における前面開閉検出片６８ａの押圧状態を解除することができる。したがって、前面枠３が閉成されたままであっても、前面開閉スイッチユニット５３と前面押圧操作ユニット５４との位置関係が不適正対向位置になったこと、ひいては機枠２が歪んだことを検出することができる。
【００４８】
ところで、上記各実施形態では、上框２ａが正常の位置よりも前面枠３の開放端側にずれた場合に前面開閉検出機構４７が機枠２の歪みを検出できるように構成したが、本発明はこれに限定されない。例えば、予想され得る機枠２の歪み具合（歪み方向）に対応して、閉成係合受部９０を閉成当接受部９２の上方や下方、または閉成当接受部９２よりも検出押圧部７６側に備えたり、閉成当接受部９２の周辺に閉成係合受部９０を一つに限らず複数備えたりしてもよい。さらに、図１５に示す第３実施形態のように、閉成係合受部１２８を閉成当接受部１２９の外縁を囲む環状（詳しくは円環状）に形成し、閉成当接受部１２９と閉成係合受部１２８との間をテーパー状の閉成摺動面１３０で接続し、該閉成摺動面１３０を閉成当接受部１２９側から閉成係合受部１２８側へ向かうにつれて次第に前面開閉スイッチユニット５３側に位置する状態で傾斜させてもよい。このように閉成係合受部１２８を環状に形成して閉成当接受部１２９の外縁を囲めば、前面開閉スイッチユニット５３と前面押圧操作ユニット５４とのずれ方向に拘らず、前面開閉スイッチユニット５３と前面押圧操作ユニット５４との位置関係が不適正対向位置になったこと、ひいては機枠２が歪んだことを検出することができる。
【００４９】
ところで、上記各実施形態では、前面開閉検出スイッチ６８の側方に位置する閉成係合部７１により前面押圧操作ユニット５４を押圧可能としたが、本発明はこれに限定されない。例えば、図１６および図１７に示す第４実施形態では、基本的な構成は第１実施形態と同じであるが、前面開閉検出スイッチ６８で検出押圧部７６を押圧可能とする構成を備えた点で異なる。具体的に説明すると、図１６（ａ）に示すように、前面開閉検出スイッチ６８のうち前面開閉検出片６８ａの左右両側方には円弧状の位置合わせ突起１３３を機枠２側へ向けて突設し、該位置合わせ突起１３３の後端部（機枠２側に位置する突出端部）を閉成押圧部１３４として非押圧操作状態の前面開閉検出片６８ａよりも機枠２側に位置させている。また、前面開閉スイッチユニット５３と前面押圧操作ユニット５４とを前面枠３の開閉方向に離間させた状態において、閉成押圧部１３４と検出押圧部７６（詳しくはストッパー係合状態における検出押圧部７６の検出接触部７６ａ）との前後方向（前面枠３の開閉方向）に沿った離間距離を閉成係合部７１と閉成係合受部９０との前後方向に沿った離間距離に等しくなるように設定されている。
【００５０】
さらに、図１６（ｂ）に示すように、検出押圧部７６のうち検出接触部７６ａの左右両側方には、位置合わせ突起１３３が嵌合可能な円弧状の位置合わせ開口１３５を開設し、該位置合わせ開口１３５の開口形状を前面枠３の開閉方向から見た位置合わせ突起１３３の断面形状と相似する形状に設定している。そして、前面開閉スイッチユニット５３と前面押圧操作ユニット５４とが適正対向位置に位置した状態で位置合わせ突起１３３が位置合わせ開口１３５に嵌合することを許容し、前面開閉スイッチユニット５３と前面押圧操作ユニット５４とが不適正対向位置に位置した状態では、位置合わせ突起１３３が位置合わせ開口１３５から側方に外れて位置合わせ開口１３５の開口縁に干渉し、位置合わせ突起１３３の位置合わせ開口１３５への嵌合を阻止するように構成されている。
【００５１】
このような構成の位置合わせ突起１３３および位置合わせ開口１３５を備えた前面開閉検出機構４７において、機枠２が歪まずに設計どおりの形状のままでいる正常状態で前面枠３を機枠２に対して閉成すると、図１６（ａ）に示すように、前面開閉スイッチユニット５３と前面押圧操作ユニット５４とが予め設定された適正対向位置に位置した状態で近づき、前面開閉検出片６８ａと検出接触部７６ａとが対向するとともに、閉成係合部７１と閉成当接受部９２とが対向し、さらには位置合わせ突起１３３と位置合わせ開口１３５とが対向する。この状態で引き続き前面枠３を閉成すると、検出押圧部７６が前面開閉検出片６８ａを押圧操作するとともに、閉成係合部７１と閉成係合受部９０との係合が回避され、閉成係合部７１が閉成当接受部９２に接近し、さらには位置合わせ突起１３３が位置合わせ開口１３５に接近する。
【００５２】
そして、前面枠本体４の後縁部と機枠２の前縁部とが当接するまで前面枠３を機枠２側へ押し付けて十分に閉成すると、位置合わせ突起１３３が位置合わせ開口１３５に嵌合し、前面開閉検出片６８ａが押圧操作された状態の前面開閉スイッチユニット５３が押圧付勢部材１０２の付勢力に抗して検出押圧部７６を押圧して操作ユニットベース７５側へ移動させ、検出押圧部７６のストッパー係合状態が解除される。さらに、検出押圧部７６が前面開閉検出片６８ａを押圧した状態で、閉成係合部７１が閉成係合受部９０から側方（図１２（ａ）中、左側方）に外れて位置して閉成当接受部９２に当接する。したがって、位置合わせ突起１３３と位置合わせ開口１３５を備えた前面開閉検出機構４７においても、前面押圧操作ユニット５４が前面開閉スイッチユニット５３を押圧し過ぎてしまう不都合、ひいては前面開閉スイッチユニット５３が前面押圧操作ユニット５４の押圧力により損傷してしまう不都合を避けることができる。
【００５３】
次に、機枠２が歪んで当初の設計とは異なる異常状態である場合、この状態の機枠２に対して前面枠３を閉成すると、前面開閉スイッチユニット５３と前面押圧操作ユニット５４とが適正対向位置とは異なる不適正対向位置に位置した状態で近づく。例えば、機枠２が歪んで上框２ａが正常の位置よりも前面枠３の開放端側にずれている状態では、前面開閉検出片６８ａと検出接触部７６ａとが対向するとともに、閉成係合部７１と閉成係合受部９０とが対向し、さらには、位置合わせ突起１３３が検出押圧部７６のうち位置合わせ開口１３５から外れた箇所に対向する。この状態で引き続き前面枠３を閉成すると、検出押圧部７６と前記前面開閉検出片６８ａとが離間した状態で閉成係合部７１と閉成係合受部９０とが係合するとともに、位置合わせ突起１３３の閉成押圧部１３４が検出押圧部７６に当接して、前面開閉検出片６８ａの押圧操作が阻止される。
【００５４】
さらに、前面枠本体４の後縁部と機枠２の前縁部とが当接するまで前面枠３を機枠２側へ押し付けて十分に閉成すると、閉成係合部７１が係合付勢部材９６の付勢力に抗して閉成係合受部９０を押圧して係合受部ベース７７を操作ユニットベース７５側へ押し込むとともに、位置合わせ突起１３３が検出押圧部７６を押圧してストッパー係合状態の解除を阻止し、ストッパー係合状態の検出押圧部７６が係合受部ベース７７、閉成係合受部９０、前面開閉スイッチユニット５３（閉成係合部７１、前面開閉検出片６８ａ）とともに操作ユニットベース７５側へ移動して、前面開閉検出片６８ａとの離間状態を維持する。したがって、位置合わせ突起１３３と位置合わせ開口１３５を備えた前面開閉検出機構４７においても、機枠２が歪んでいるか否か、ひいては閉成状態の前面枠３が正常な姿勢に設定されているか否かを、前面枠３の開閉検出手段により検知することができる。これにより、前面枠３や遊技盤６が異常な姿勢のまま遊技が実行される不都合を阻止することができる。
【００５５】
また、機枠２が歪んで上框２ａが正常の位置よりも前面枠３の軸着側にずれたり上下方向にずれたりした状態で前面枠３を閉成した場合には、閉成係合部７１と閉成係合受部９０との係合が回避されるが、位置合わせ突起１３３が位置合わせ開口１３５から外れた箇所に当接して位置合わせ開口１３５に嵌合せず、前面開閉検出片６８ａの押圧操作が阻止される。そして、前面枠本体４の後縁部と機枠２の前縁部とが当接するまで前面枠３を機枠２側へ押し付けて十分に閉成すると、位置合わせ突起１３３が押圧付勢部材１０２の付勢力に抗して検出押圧部７６を押圧してストッパー係合状態を解除し、前面開閉検出片６８ａとの離間状態を維持したまま操作ユニットベース７５側へ押し込む。したがって、位置合わせ突起１３３と位置合わせ開口１３５を備えた場合には、前面開閉スイッチユニット５３と前面押圧操作ユニット５４とのずれ方向に拘らず、前面開閉スイッチユニット５３と前面押圧操作ユニット５４との位置関係が不適正対向位置になったこと、ひいては機枠２が歪んだことを検出することができる。このことから、前面開閉検出機構４７は、閉成係合部７１および閉成係合受部９０を備えず、その代わりに、機枠２のずれを検出可能とする構成として、位置合わせ突起１３３および位置合わせ開口１３５を備えてもよい。また、前面開閉検出スイッチ６８で検出押圧部７６を押圧可能とする構成であれば、位置合わせ開口１３５を前面開閉検出スイッチ６８に設けるとともに位置合わせ突起１３３を検出押圧部７６に設け、前面開閉検出スイッチ６８のうち位置合わせ開口１３５の外方の部分で位置合わせ突起１３３を押圧可能とするように構成してもよい。
【００５６】
ところで、上記各実施形態では、前面枠本体４（前面枠３）に前面開閉スイッチユニット５３を装着し、機枠２に前面押圧操作ユニット５４を装着したが、本発明はこれに限定されない。前面枠３の開閉を検出可能であれば、機枠２に前面開閉スイッチユニット５３を装着し、前面枠３に前面押圧操作ユニット５４を装着（操作ユニットベース７５を止着）してもよい。
【００５７】
また、上記実施形態では、代表的な遊技機であるパチンコ遊技機を例にして説明したが、本発明はこれに限らず、機枠と、該機枠に対して開閉可能な前面枠と、該前面枠の開閉を検出可能な前面開閉検出機構とを備えた遊技機であればどのような遊技機でもよい。例えば、封入球式パチンコ機、アレンジボール式遊技機、雀球式遊技機等の遊技機であってもよい。
【００５８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００５９】
１  パチンコ遊技機
２  機枠
２ａ  上框
３  前面枠
４  前面枠本体
６  遊技盤
８  透明部材保持枠
４６  保持枠開閉検出機構
４７  前面開閉検出機構
５０  保持枠開閉スイッチユニット
５１  保持枠押圧操作部
５３  前面開閉スイッチユニット
５４  前面押圧操作ユニット
５７  保持枠スイッチホルダー
５８  保持枠開閉検出スイッチ
５８ａ  保持枠開閉検出片
６０  ホルダーケース
６７  前面スイッチホルダー
６８  前面開閉検出スイッチ
６８ａ  前面開閉検出片
６８ｂ  前面スイッチ係合受部
７０  前面側係合突起
７１  閉成係合部
７５  操作ユニットベース
７６  検出押圧部
７６ａ  検出接触部
７７  係合受部ベース
７８  係合受部移動機構
７９  押圧部移動機構
８２  係合ガイド溝
８３  係合開口部
８６  装着空間部
８７  押圧ガイド部
８９  閉成係合突起
９０  閉成係合受部
９１  閉成当接突起
９２  閉成当接受部
９４  係合ガイドアーム
９６  係合付勢部材
１０１  押圧摺動部
１０１ａ  摺動係合爪
１０２  押圧付勢部材
１０７  摺動ストッパー
１２５  閉成摺動面
１２８  閉成係合受部
１２９  閉成当接受部
１３０  閉成摺動面
１３３  位置合わせ突起
１３４  閉成押圧部
１３５  位置合わせ開口
【図１】
2012143420.tif 000003
【図２】
2012143420.tif 000004
【図３】
2012143420.tif 000005
【図４】
2012143420.tif 000006
【図５】
2012143420.tif 000007
【図６】
2012143420.tif 000008
【図７】
2012143420.tif 000009
【図８】
2012143420.tif 000010
【図９】
2012143420.tif 000011
【図１０】
2012143420.tif 000012
【図１１】
2012143420.tif 000013
【図１２】
2012143420.tif 000014
【図１３】
2012143420.tif 000015
【図１４】
2012143420.tif 000016
【図１５】
2012143420.tif 000017
【図１６】
2012143420.tif 000018
【図１７】
2012143420.tif 000019